(57)【要約】  Ｘ線照射部が固定位置に配置されたときには、表示パネル１５の上部がコリメータ４５により覆われる。これにより、表示パネル１５の中央部分の領域に表示された内容は、操作者が視認することはできない。このため、患者所在と、患者名と、プロトコルと、患者コメントとからなる検査情報を表す領域Ｅが、表示パネル１５におけるコリメータ４５に覆われていない領域に表示される。これにより、操作者は、Ｘ線照射部を固定位置に配置して装置を病室間で移動させる場合等においても、次にＸ線撮影を行うべき患者の病室を表す患者所在と、患者名と、プロトコルと、患者コメント等の検査情報を予め確認することが可能となる。このため、病室に到着後、Ｘ線撮影を迅速に開始することが可能となる。
2019180891.tif 000002
【特許請求の範囲】
【請求項１】
移動用の車輪を有する本体と、前記本体に支持部材を介して支持された放射線照射部と、前記本体に配設された表示パネルと、前記放射線照射部が前記表示パネルの上部を覆う前記本体を移動するときの固定位置と、前記放射線照射部が前記表示パネルの上部から移動した放射線撮影を実行するときの撮影位置との間で、前記支持部材に支持された放射線照射部を移動させる移動機構と、を備えた移動型放射線撮影装置において、
前記放射線照射部が前記固定位置に配置されたことを検出する検出部と、
前記検出部が、前記放射線照射部が前記固定位置に配置されたことを検出したときに、前記表示パネルにおける前記放射線照射部に覆われていない領域に、放射線撮影を行う患者の所在を含む検査情報を表示する検査情報表示制御部と、
を備えたことを特徴とする移動型放射線撮影装置。
【請求項２】
請求項１に記載の移動型放射線撮影装置において、
前記表示パネルは、タッチパネル方式の表示パネルであり、
前記検査情報表示制御部は、前記表示パネルにおける前記放射線照射部に覆われていない領域が操作されたときに、前記検査情報の表示位置を前記表示パネルにおける前記放射線照射部に覆われていない領域内で移動させる移動型放射線撮影装置。
【請求項３】
請求項１に記載の移動型放射線撮影装置において、
前記放射線照射部が前記固定位置に配置された状態においては、前記表示パネルにおける前記放射線照射部に覆われていない領域は前記本体の進行方向に対して前記放射線照射部の左方向および右方向に各々配置されており、
前記検査情報表示制御部は、前記検査情報を前記表示パネルにおける前記放射線照射部に覆われていない領域のうちの前記本体の進行方向に対して前記放射線照射部の左方向に表示するときには、前記検査情報を表す文字列を左寄せで配置し、前記検査情報を前記表示パネルにおける前記放射線照射部に覆われていない領域のうちの前記本体の進行方向に対して前記放射線照射部の右方向に表示するときには、前記検査情報を表す文字列を右寄せで配置する移動型放射線撮影装置。
【請求項４】
移動用の車輪を有する本体と、前記本体に支持部材を介して支持された放射線照射部と、前記本体に配設された表示パネルと、前記放射線照射部が前記表示パネルの上部を覆う前記本体を移動するときの固定位置と、前記放射線照射部が前記表示パネルの上部から移動した放射線撮影を実行するときの撮影位置との間で、前記支持部材に支持された放射線照射部を移動させる移動機構と、を備えた移動型放射線撮影装置において、
前記放射線照射部が前記固定位置に配置されたことを検出する検出部と、
前記放射線照射部に配設された第２の表示パネルと、
前記検出部が、前記放射線照射部が前記固定位置に配置されたことを検出したときに、前記第２の表示パネルに、放射線撮影を行う患者の所在を含む検査情報を表示する検査情報表示制御部と、
を備えたことを特徴とする移動型放射線撮影装置。
【請求項５】
請求項１から請求項４のいずれかに記載の移動型放射線撮影装置において、
前記検査情報は、放射線撮影を行う患者の所在と、放射線撮影を行う患者の名前と、放射線撮影のプロトコルと、を含む移動型放射線撮影装置。
【発明の詳細な説明】
【技術分野】
【０００１】
この発明は、病室間を移動してＸ線撮影等の放射線撮影を行う移動型放射線撮影装置に関する。
【背景技術】
【０００２】
このような移動型放射線撮影装置としての移動型Ｘ線撮影装置は、回診用Ｘ線撮影装置とも呼称されるものであり、移動用の車輪を有する本体と、本体に支持部材を介して支持されたＸ線管およびコリメータより成る放射線照射部と、本体に配設されたタッチパネル方式の表示パネルと、Ｘ線照射部から照射され被検者を通過したＸ線を検出するＸ線検出器と、本体内部に配設されたバッテリと、を備えている。放射線照射部は、移動機構により、表示パネルの上部を覆う固定位置と表示パネルの上部から移動した撮影位置との間を移動可能となっている。【０００３】
近年においては、フラットパネルディテクタ（Ｆｌａｔ  Ｐａｎｅｌ  Ｄｅｔｅｃｔｏｒ：ＦＰＤ）等のデジタル式のＸ線検出器を備えた移動型Ｘ線検査装置が多用されるようになっている。このような移動型Ｘ線検査装置は、ＤＲ（Ｄｉｇｉｔａｌ  Ｒａｄｉｏｇｒａｐｈｙ）とも呼ばれ、フラットパネルディテクタ等のＸ線検出器により撮影した画像を表示パネルに即座に表示し得る構成となっている。また、この表示部には、Ｘ線撮影のオーダ情報が表示される構成となっている。【０００４】
このような移動型Ｘ線撮影装置においては、次に検査を実行すべき場所の情報を表示するようにすれば、検査を効率的に実行することができる。このため、特許文献１においては、次の撮影オーダがある場合には、その撮影オーダを表示部に表示することが可能な放射線撮影装置が開示されている。
【先行技術文献】
【特許文献】
【０００５】
【特許文献１】特開２０１５−１６３８８号公報
【発明の概要】
【発明が解決しようとする課題】
【０００６】
このような移動型Ｘ線撮影装置を病室間で移動させるときには、Ｘ線管およびコリメータより成るＸ線照射部は、表示パネルの上部を覆う固定位置に固定される。従って、移動型Ｘ線撮影装置を移動させているときには、表示パネルの内容を確認することはできない。このため、移動中において次にＸ線撮影を行う患者が所在する病室を確認するためには、Ｘ線照射部を表示パネルの上部から移動させることが必要となる。【０００７】
この発明は上記課題を解決するためになされたものであり、移動中においても、放射線撮影を行う患者の所在を含む検査情報を確認することが可能な移動型放射線撮影装置を提供することを目的とする。
【課題を解決するための手段】
【０００８】
請求項１に記載の発明は、移動用の車輪を有する本体と、前記本体に支持部材を介して支持された放射線照射部と、前記本体に配設された表示パネルと、前記放射線照射部が前記表示パネルの上部を覆う前記本体を移動するときの固定位置と、前記放射線照射部が前記表示パネルの上部から移動した放射線撮影を実行するときの撮影位置との間で、前記支持部材に支持された放射線照射部を移動させる移動機構と、を備えた移動型放射線撮影装置において、前記放射線照射部が前記固定位置に配置されたことを検出する検出部と、前記検出部が、前記放射線照射部が前記固定位置に配置されたことを検出したときに、前記表示パネルにおける前記放射線照射部に覆われていない領域に、放射線撮影を行う患者の所在を含む検査情報を表示する検査情報表示制御部と、を備えたことを特徴とする。【０００９】
請求項２に記載の発明は、請求項１に記載の発明において、前記表示パネルは、タッチパネル方式の表示パネルであり、前記検査情報表示制御部は、前記表示パネルにおける前記放射線照射部に覆われていない領域が操作されたときに、前記検査情報の表示位置を前記表示パネルにおける前記放射線照射部に覆われていない領域内で移動させる。【００１０】
請求項３に記載の発明は、請求項１に記載の発明において、前記放射線照射部が前記固定位置に配置された状態においては、前記表示パネルにおける前記放射線照射部に覆われていない領域は前記本体の進行方向に対して前記放射線照射部の左方向および右方向に各々配置されており、前記検査情報表示制御部は、前記検査情報を前記表示パネルにおける前記放射線照射部に覆われていない領域のうちの前記本体の進行方向に対して前記放射線照射部の左方向に表示するときには、前記検査情報を表す文字列を左寄せで配置し、前記検査情報を前記表示パネルにおける前記放射線照射部に覆われていない領域のうちの前記本体の進行方向に対して前記放射線照射部の右方向に表示するときには、前記検査情報を表す文字列を右寄せで配置する。【００１１】
請求項４に記載の発明は、移動用の車輪を有する本体と、前記本体に支持部材を介して支持された放射線照射部と、前記本体に配設された表示パネルと、前記放射線照射部が前記表示パネルの上部を覆う前記本体を移動するときの固定位置と、前記放射線照射部が前記表示パネルの上部から移動した放射線撮影を実行するときの撮影位置との間で、前記支持部材に支持された放射線照射部を移動させる移動機構と、を備えた移動型放射線撮影装置において、前記放射線照射部が前記固定位置に配置されたことを検出する検出部と、前記放射線照射部に配設された第２の表示パネルと、前記検出部が、前記放射線照射部が前記固定位置に配置されたことを検出したときに、前記第２の表示パネルに、放射線撮影を行う患者の所在を含む検査情報を表示する検査情報表示制御部と、を備えたことを特徴とする。【００１２】
請求項５に記載の発明は、請求項１から請求項４のいずれかに記載の発明において、前記検査情報は、放射線撮影を行う患者の所在と、放射線撮影を行う患者の名前と、放射線撮影のプロトコルと、を含む。
【発明の効果】
【００１３】
請求項１に記載の発明によれば、装置の移動時に放射線照射部が表示パネルの上部を覆う固定位置に配置された場合においても、表示パネルにおける放射線照射部に覆われていない領域に放射線撮影を行う患者の所在を含む検査情報を表示することから、装置の移動中においても検査情報を確認することが可能となる。【００１４】
請求項２に記載の発明によれば、検査情報の表示位置を表示パネルにおける放射線照射部に覆われていない領域内で移動させることにより、検査情報を操作者の見やすい位置に配置させることが可能となる。【００１５】
請求項３に記載の発明によれば、検査情報を表示パネルの左右の表示位置に対応して検査情報を表す文字列を左寄せまたは右寄せで配置することから、検査情報に視認性を向上させることが可能となる。【００１６】
請求項４に記載の発明によれば、装置の移動時に放射線照射部が表示パネルの上部を覆う固定位置に配置された場合においても、放射線照射部に配設された第２の表示パネルに放射線撮影を行う患者の所在を含む検査情報を表示することから、装置の移動中においても検査情報を確認することが可能となる。【００１７】
請求項５に記載の発明によれば、装置の移動中に、放射線撮影を行う患者の所在と、放射線撮影を行う患者の名前と、放射線撮影のプロトコルとを確認することが可能となる。
【図面の簡単な説明】
【００１８】
【図１】この発明の第１実施形態に係る移動型Ｘ線撮影装置の斜視図である。
【図２】この発明の第１実施形態に係る移動型Ｘ線撮影装置の斜視図である。
【図３】この発明の第１実施形態に係る移動型Ｘ線撮影装置の斜視図である。
【図４】移動支柱４２および支持アーム４３の昇降動作を説明するための側面概要図である。
【図５】この発明の第１実施形態に係る移動型Ｘ線撮影装置の主要な制御系を示すブロック図である。
【図６】Ｘ線管４４およびコリメータ４５からなるＸ線照射部が撮影位置に配置されたときに表示パネル１５に表示される画面の一例を示す概要図である。
【図７】Ｘ線照射部が固定位置に配置されたときに表示パネル１５に表示される画面を示す概要図である。
【図８】Ｘ線照射部が固定位置に配置されたときに表示パネル１５に表示される画面を示す概要図である。
【図９】Ｘ線照射部が固定位置に配置されたときに表示パネル１５に表示される画面を示す概要図である。
【図１０】この発明の第２実施形態に係る移動型Ｘ線撮影装置の斜視図である。
【図１１】この発明の第２実施形態に係る移動型Ｘ線撮影装置の斜視図である。
【図１２】この発明の第２実施形態に係る移動型Ｘ線撮影装置の斜視図である。
【図１３】この発明の第２実施形態に係る移動型Ｘ線撮影装置の主要な制御系を示すブロック図である。
【発明を実施するための形態】
【００１９】
以下、この発明の実施の形態を図面に基づいて説明する。図１から図３は、この発明の第１実施形態に係る移動型Ｘ線撮影装置の斜視図である。なお、図１は、支持アーム４３がＸ線照射部とともに移動型Ｘ線撮影装置を移動させるときに配置されるべき位置である固定位置に配置された状態を示し、図２は、支持アーム４３がＸ線照射部とともに固定位置から上昇した上昇位置に配置された状態を示し、図３は、支持アーム４３がＸ線照射部とともに上昇位置から旋回してＸ線撮影を実行する撮影位置に配置された状態を示している。なお、Ｘ線撮影時には、支持アーム４３の高さ位置と旋回角度位置が、Ｘ線撮影に適した位置に調整される。
【００２０】
この移動型Ｘ線撮影装置は、回診用Ｘ線撮影装置とも呼称されるものであり、複数の病室間を移動し、各病室においてＸ線検査を実行するものである。この移動型Ｘ線撮影装置は、本体１０と、本体１０の上部に配設されたタッチパネル式の表示パネル１５と、本体１０の進行方向の前方側に配設された方向変更用の車輪である左右一対の前輪１１と、本体１０の進行方向の後方側配設された駆動用の車輪である左右一対の後輪１２とを備える。後輪１２は、本体１０内に配設された図示しないモータの駆動により回転する。
【００２１】
本体１０の進行方向の前方側には、固定支柱４１が立設されており、この固定支柱４１には、移動支柱４２および支持アーム４３が、昇降可能な状態で配設されている。支持アーム４３は、側面視において略Ｌ字状の形状を有し、その先端には、Ｘ線管４４とコリメータ４５からなるＸ線照射部が配設されている。Ｘ線管４４およびコリメータ４５は、移動支柱４２および支持アーム４３の昇降動作に伴って昇降する。また、固定支柱４１は、旋回部４９の作用により鉛直軸周りに回転可能に支持されており、Ｘ線管４４およびコリメータ４５は、固定支柱４１の回転に伴って、支持アーム４３とともに旋回する。
【００２２】
支持アーム４３の下面には、ピン２３が配設されている。また、本体１０には、アームキャッチと呼称されるロック部２４が配設されている。支持アーム４３がＸ線照射部とともに、図１に示す固定位置に配置された状態においては、支持アーム４３の下面はロック部２４に当接する。この状態においては、支持アーム４３の下面に配設されたピン２３がロック部２４に形成された穴部（図示せず）内に収納される。
【００２３】
ロック部２４は、ピン２３がロック部２４の穴部に収納されたことを検知して、支持アーム４３に支持されたＸ線管４４とコリメータ４５からなるＸ線照射部が、移動型Ｘ線撮影装置を移動させるときに配置されるべき位置である固定位置に配置されたことを検出する。Ｘ線照射部が固定位置に配置された状態においては、Ｘ線照射部におけるコリメータ４５が、表示パネル１５の上部を覆うことになる。
【００２４】
本体１０には、本体１０の進行方向を操作するための操作ハンドル２１と、Ｘ線管４４から照射され被検者を通過したＸ線を検出するためのフラットパネルディテクタ等のＸ線検出器１６を収納するための収納部１７とが配設されている。
【００２５】
図４は、移動支柱４２および支持アーム４３の昇降動作を説明するための側面概要図である。
【００２６】
移動支柱４２は、固定支柱４１に配設された図示しない案内部材により、固定支柱４１に沿って昇降可能となっている。また、支持アーム４３は、移動支柱４２に配設された図示しない案内部材により、Ｘ線管４４およびコリメータ４５とともに、移動支柱４２に沿って昇降可能となっている。
【００２７】
固定支柱４１の上部には、バネ等を備えた昇降補助機構と連結された巻き取りプーリ５２が、固定支柱４１の上部に固定された軸５６を中心に回転可能に配設されている。そして、一端がこの巻き取りプーリ５２に固定され、巻き取りプーリ５２に巻回されたワイヤーロープ５３の他端が、移動支柱４２の下端部に配設された基部４７に固定されている。このため、巻き取りプーリ５２が回転して巻き取りプーリ５２に対するワイヤーロープ５３の巻回量が変化することにより、移動支柱４２が昇降することになる。
【００２８】
一方、移動支柱４２の上部には、固定プーリ３１が、移動支柱４２の上部に固定された支軸３２を中心に回転可能に配設されている。そして、一端が固定支柱４１の下端部に配設された基部４６に固定され、固定プーリ３１に巻回された支持アーム４３の昇降用のワイヤーロープ５５の他端が、支持アーム４３の下端部に配設された基部４８に固定されている。このため、ワイヤーロープ５３の作用で移動支柱４２が上昇することにより、ワイヤーロープ５５が基部４６側に巻出された時には、支持アーム４３も移動支柱４２に対して上昇する。一方、移動支柱４２が下降することによりワイヤーロープ５５が基部４８側に巻出された時には、支持アーム４３も移動支柱４２に対して下降する。
【００２９】
このため、巻き取りプーリ５２が回転することにより移動支柱４２が上昇した時には、図４に示すように、支持アーム４３が、Ｘ線管４４およびコリメータ４５からなるＸ線照射部とともに、移動支柱４２の上昇量の２倍上昇する。また、巻き取りプーリ５２が回転することにより移動支柱４２が下降した時には、支持アーム４３が、Ｘ線管４４およびコリメータ４５からなるＸ線照射部とともに、移動支柱４２の下降量の２倍下降する。
【００３０】
移動支柱４２および支持アーム４３が上昇したときには、支持アーム４３が図２に示す上昇位置に配置される。そして、この状態において旋回部４９の作用により固定支柱４１が本体１０に対して鉛直方向を向く軸を中心に回転した時には、Ｘ線管４４およびコリメータ４５から成るＸ線照射部は、支持アーム４３とともに旋回する。これにより、Ｘ線管４４およびコリメータ４５から成るＸ線照射部をＸ線撮影に適した位置に配置することができる。
【００３１】
一方、移動支柱４２および支持アーム４３が下降し、支持アーム４３がＸ線照射部とともに、図１に示す固定位置に配置された状態においては、支持アーム４３の下面はロック部２４に当接し、支持アーム４３の下面に配設されたピン２３がロック部２４に形成された穴部内に収納される。ロック部２４は、ピン２３がロック部２４の穴部に収納されたことを検知して、支持アーム４３に支持されたＸ線管４４とコリメータ４５からなるＸ線照射部が固定位置に配置されたことを検出する。この状態において、この移動型Ｘ線撮影装置を病室間等において移動させることが可能となる。
【００３２】
図５は、この発明の第１実施形態に係る移動型Ｘ線撮影装置の主要な制御系を示すブロック図である。
【００３３】
この移動型Ｘ線撮影装置は、プロセッサとしてのＣＰＵを備え、装置全体を制御する制御部７０を備える。この制御部７０は、図１から図３に示すロック部２４と、表示パネル１５とに接続されている。この制御部７０は、Ｘ線検出器１６により撮影した画像を表示パネル１５に表示するための画像処理を実行する画像処理部７１と、各種の検査情報を表示パネル１５に表示するための検査情報表示制御部７２とを備える。検査情報表示制御部７２は、後述する検査情報を操作パネル１５に表示するための各種のプログラムを記憶したメモリ７３を備える。制御部７０は、図示を省略した通信部により病院内ネットワークと無線接続されており、病院内ネットワークから検査情報を取得する。
【００３４】
次に、この第１実施形態に係る移動型Ｘ線撮影装置において、表示パネル１５への検査情報の表示を行う場合の動作について説明する。図６は、Ｘ線管４４およびコリメータ４５からなるＸ線照射部が撮影位置に配置されたときに表示パネル１５に表示される画面の一例を示す概要図である。また、図７から図９は、Ｘ線照射部が固定位置に配置されたときに表示パネル１５に表示される画面を示す概要図である。なお、図７から図９に示す矢印は、移動型Ｘ線撮影装置の本体１０の進行方向を示している。
【００３５】
Ｘ線管４４およびコリメータ４５からなるＸ線照射部が撮影位置に配置され、Ｘ線撮影が実行されるときには、表示パネル１５には、図６に示すように、これからＸ線撮影を実行すべき患者の名前と、患者の居場所である病室の情報（患者所在）とがリストとして表示される。これらの情報は、病院内ネットワークを介して取得されたものであり、これらの情報に基づいて、図５に示す検査情報表示制御部７２が、表示パネル１５に図６に示す画面を表示する。そして、図６に示す画面からタッチパネル式の表示パネル１５が操作されれば、検査情報表示制御部７２により、表示パネル１５に表示される画面が、Ｘ線撮影を行うための各種の情報を表示する画面に、順次、推移する。
【００３６】
一方、図６に示す状態において、ロック部２４が、ピン２３がロック部２４の穴部に収納されたことを検知して、支持アーム４３に支持されたＸ線管４４とコリメータ４５からなるＸ線照射部が固定位置に配置されたことを検出したときには、検査情報表示制御部７２により、図７に示すように、患者所在と、患者名と、Ｘ線撮影のプロトコルと、Ｘ線撮影を行う患者に対する注意事項等を表す患者コメントとからなる検査情報が、表示パネル１５の右端に表示される。
【００３７】
すなわち、Ｘ線照射部が固定位置に配置されたときには、表示パネル１５の上部がコリメータ４５により覆われる。これにより、表示パネル１５の中央部分の領域に表示された内容は、操作者が視認することはできない。このため、図７に示すように、患者所在と、患者名と、プロトコルと、患者コメントとからなる検査情報を表す領域Ｅが、表示パネル１５におけるコリメータ４５に覆われていない領域に表示される。これにより、操作者は、Ｘ線照射部を固定位置に配置して装置を病室間で移動させる場合等においても、次にＸ線撮影を行うべき患者の病室を表す患者所在と、患者名と、プロトコルと、患者コメント等の検査情報を予め確認することが可能となる。このため、病室に到着後、Ｘ線撮影を迅速に開始することが可能となる。
【００３８】
なお、患者所在と、患者名と、プロトコルと、患者コメント等の検査情報を示す領域Ｅの配置や、検査情報を表す文字の大きさ、あるいは、検査情報のうちのどの情報を領域Ｅに表示するかの選択等は、予め、それらを設定する設定画面を利用して選択されている。このように、必要な情報を最小限に選択して表示することにより、検査情報を示す領域Ｅの面積を小さいものとすることができ、この領域Ｅを表示パネル１５におけるコリメータ４５に覆われていない領域内に表示することが可能となる。
【００３９】
図７に示す状態において、操作者の身長等により、表示パネル１５に表示された検査情報を表す領域Ｅが、操作者から視認し難い場合がある。この時には、操作者が表示パネル１５におけるコリメータ４５に覆われていない領域に配置された検査情報を表す領域Ｅをドラッグする。このような操作がなされた場合においては、検査情報表示制御部７２が、図８に示すように領域Ｅを移動させ、領域Ｅの配置を操作者にとって視認しやすい位置に変更する。これにより、操作者は、検査情報を表す領域Ｅを容易に視認することが可能となる。
【００４０】
また、図７に示す状態においては、操作者が移動型Ｘ線撮影装置の本体１０の進行方向に向かって右側にいるときには検査情報を示す領域Ｅを容易に視認できるが、操作者が本体１０の進行方向に向かって左側にいるときには、検査情報を示す領域Ｅはコリメータ４５の死角になり視認することはできない。このような場合においては、本体１０の進行方向に向かって左側にいる操作者が、表示パネル１５におけるコリメータ４５に覆われていない領域のうちの本体１０の進行方向に向かって左側の領域にタッチする。このような操作がなされた場合においては、検査情報表示制御部７２が、図９に示すように、領域Ｅを、表示パネル１５におけるコリメータ４５に覆われていない領域のうちの本体１０の進行方向に向かって左側の領域に移動させる。これにより、本体１０の進行方向に向かって左側にいる操作者は、検査情報を表す領域Ｅを容易に視認することが可能となる。
【００４１】
なお、検査情報表示制御部７２は、検査情報を示す領域Ｅを表示パネル１５におけるコリメータ４５に覆われていない領域のうちの本体１０の進行方向に対して放射線照射部の左方向に表示するときには、図９に示すように、検査情報を表す文字列を左寄せで配置し、検査情報を示す領域Ｅを表示パネル１５におけるコリメータ４５に覆われていない領域のうちの本体１０の進行方向に対して放射線照射部の右方向に表示するときには、図７に示すように、検査情報を表す文字列を右寄せで配置する。これにより、必要な情報を表示パネル１５におけるコリメータ４５に覆われていない領域に表示させることができるとともに、検査情報の視認性を向上させることが可能となる。
【００４２】
表示パネル１５に対して、図７から図９に示す画面が表示されている状態において、一定時間が経過した場合には、省電力の目的で、検査情報表示制御部７２は、表示パネル１５の表示をオフとする。これにより、本体１０内におけるバッテリーの消費電力を低減することが可能となる。なお、表示パネル１５の表示がオフとなった後、操作者が表示パネル１５にタッチした場合においては、検査情報表示制御部７２は、再度、操作パネル１５に図７から図９に示す画面を表示する。
【００４３】
また、表示パネル１５に対して、図７から図９に示す画面が表示されている状態において、Ｘ線照射部が固定位置から撮影位置に移動し、ロック部２４が、ピン２３がロック部２４の穴部から退出したことを検知した場合においては、検査情報表示制御部７２は、表示パネル１５に表示する画面を、図６に示す画面のような通常の画面に変更する。これにより、表示パネル１５に対してＸ線撮影に適した画面を表示することが可能となる。
【００４４】
次に、この発明の他の実施形態について説明する。図１０から図１２は、この発明の第２実施形態に係る移動型Ｘ線撮影装置の斜視図である。なお、図１０は、支持アーム４３がＸ線照射部とともに移動型Ｘ線撮影装置を移動させるときに配置されるべき位置である固定位置に配置された状態を示し、図１１は、支持アーム４３がＸ線照射部とともに固定位置から上昇した上昇位置に配置された状態を示し、図１２は、支持アーム４３がＸ線照射部とともに上昇位置から旋回してＸ線撮影を実行する撮影位置に配置された状態を示している。上述した第１実施形態に係る移動型Ｘ線撮影装置と同様の部材については、同一の符号を付して詳細な説明を省略する。
【００４５】
上述した第１実施形態に係る移動型Ｘ線撮影装置においては、Ｘ線照射部が固定位置に配置された状態において、検査情報を表示パネル１５におけるコリメータ４５に覆われていない領域に表示する構成を採用している。これに対して、この第２実施形態に係る移動型Ｘ線撮影装置においては、Ｘ線照射部に第２の表示パネル４０を配設し、Ｘ線照射部が固定位置に配置された状態において、検査情報を第２の表示パネル４０に表示する構成を採用している。
【００４６】
図１０から図１２に示すように、この第２実施形態に係る移動型Ｘ線撮影装置においては、Ｘ線照射部を構成するコリメータ４５に第２の表示パネル４０が配設されている。この第２の表示パネル４０は、コリメータ４５における、Ｘ線照射部が固定位置に配置されたときに操作ハンドル２１を操作して移動型Ｘ線撮影装置を移動させる操作者側を向く面に配設されている。
【００４７】
図１３は、この発明の第２実施形態に係る移動型Ｘ線撮影装置の主要な制御系を示すブロック図である。
【００４８】
この第２実施形態に係る移動型Ｘ線撮影装置は、プロセッサとしてのＣＰＵを備え、装置全体を制御する制御部７０を備える。この制御部７０は、図１から図３に示すロック部２４と、表示パネル１５と、第２の表示パネル４０とに接続されている。この制御部７０は、Ｘ線検出器１６により撮影した画像を表示パネル１５に表示するための画像処理を実行する画像処理部７１と、各種の検査情報を表示パネル１５に表示するための検査情報表示制御部７２とを備える。検査情報表示制御部７２は、後述する検査情報を操作パネル１５に表示するための各種のプログラムを記憶したメモリ７３を備える。制御部７０は、図示を省略した通信部により病院内ネットワークと無線接続されており、病院内ネットワークから検査情報を取得する。
【００４９】
この第２実施形態に係る移動型Ｘ線撮影装置において、ロック部２４が、ピン２３がロック部２４の穴部に収納されたことを検知して、支持アーム４３に支持されたＸ線管４４とコリメータ４５からなるＸ線照射部が固定位置に配置されたことを検出したときには、検査情報表示制御部７２により、患者所在と、患者名と、Ｘ線撮影のプロトコルと、Ｘ線撮影を行う患者に対する注意事項等を表す患者コメントとからなる検査情報が、第２の表示パネル４０に表示される。
【００５０】
すなわち、Ｘ線照射部が固定位置に配置され、表示パネル１５の上部がコリメータ４５により覆われた場合に、患者所在と、患者名と、プロトコルと、患者コメントとからなる検査情報が、第２の表示パネル４０に表示される。これにより、操作者は、Ｘ線照射部を固定位置に配置して装置を病室間で移動させる場合等においても、次にＸ線撮影を行うべき患者の病室を表す患者所在と、患者名と、プロトコルと、患者コメント等の検査情報を予め確認することが可能となる。このため、病室に到着後、Ｘ線撮影を迅速に開始することが可能となる。
【００５１】
なお、この第２実施形態に係る移動型Ｘ線撮影装置において、第２の表示パネル４０を、コリメータ４５ではなくＸ線管４４に設けてもよい。また、第２の表示パネル４０を、コリメータ４５またはＸ線管４４に対して連結部材を介して連結させてもよい。すなわち、第２の表示パネル４０は、Ｘ線照射部が固定位置に配置されたときに、操作ハンドル２１を操作して移動型Ｘ線撮影装置を移動させている操作者から視認可能な位置に配置されていればよい。
【符号の説明】
【００５２】
１０    本体
１１    前輪
１２    後輪
１５    表示パネル
１６    Ｘ線検出器
２３    ピン
２４    ロック部
３１    固定プーリ
４０    第２の表示パネル
４１    固定支柱
４２    移動支柱
４３    支持アーム
４４    Ｘ線管
４５    コリメータ
４９    旋回部
５２    巻き取りプーリ
５３    ワイヤーロープ
５５    ワイヤーロープ
７０    制御部
７１    画像処理部
７２    検査情報表示制御部
Ｅ      検査情報を示す領域
【図１】
2019180891.tif 000003
【図２】
2019180891.tif 000004
【図３】
2019180891.tif 000005
【図４】
2019180891.tif 000006
【図５】
2019180891.tif 000007
【図６】
2019180891.tif 000008
【図７】
2019180891.tif 000009
【図８】
2019180891.tif 000010
【図９】
2019180891.tif 000011
【図１０】
2019180891.tif 000012
【図１１】
2019180891.tif 000013
【図１２】
2019180891.tif 000014
【図１３】
2019180891.tif 000015
【手続補正書】
【提出日】令和2年6月24日(2020.6.24)
【手続補正１】
【補正対象書類名】特許請求の範囲
【補正対象項目名】全文
【補正方法】変更
【補正の内容】
【特許請求の範囲】
【請求項１】
移動用の車輪を有する本体と、前記本体に支持部材を介して支持された放射線照射部と、前記本体に配設された表示パネルと、前記放射線照射部が前記表示パネルの一部を覆う状態にある固定位置と、前記固定位置よりも上方の位置である撮影位置との間で、前記支持部材に支持された放射線照射部を移動させる移動機構と、を備えた移動型放射線撮影装置において、
前記放射線照射部が前記固定位置に配置されているか否かを検出する検出部と、
前記放射線照射部が前記固定位置に配置されていることが前記検出部に検出されたときは、前記表示パネルにおける前記放射線照射部に覆われていない領域に、放射線撮影を行う患者の所在を含む検査情報を表示し、前記放射線照射部が前記固定位置に配置されていないことが前記検出部に検出されたときは、前記検査情報とは異なる情報を前記表示パネルに表示する検査情報表示制御部と、
を備えたことを特徴とする移動型放射線撮影装置。
【請求項２】
請求項１に記載の移動型放射線撮影装置において、
前記表示パネルは、タッチパネル方式の表示パネルであり、
前記表示パネルにおける前記放射線照射部に覆われていない領域よりも前記検査情報が表示される領域の方が小さく設定されており、
前記検査情報表示制御部は、前記表示パネルにおける前記放射線照射部に覆われていない領域が操作されたときに、前記検査情報の表示領域を、前記表示パネルにおける前記放射線照射部に覆われていない領域内で移動させる移動型放射線撮影装置。
【請求項３】
移動用の車輪を有する本体と、前記本体に支持部材を介して支持された放射線照射部と、前記本体に配設された表示パネルと、前記放射線照射部が前記表示パネルの一部を覆う状態にある固定位置と、前記固定位置よりも上方の位置である撮影位置との間で、前記支持部材に支持された放射線照射部を移動させる移動機構と、を備えた移動型放射線撮影装置において、
前記放射線照射部が前記固定位置に配置されていることを検出する検出部と、
前記放射線照射部が前記固定位置に配置されていることが前記検出部に検出されたときに、前記表示パネルにおける前記放射線照射部に覆われていない領域に、放射線撮影を行う患者の所在を含む検査情報を表示する検査情報表示制御部とを備え、
前記放射線照射部が前記固定位置に配置されている状態においては、前記放射線照射部は、前記表示パネルのうち、前記本体の進行方向の左端部及び右端部を除く領域を覆うように構成されており、
前記検査情報表示制御部は、前記検査情報を前記表示パネルの前記左端部に表示するときは、該検査情報を表す文字列を左寄せにし、前記検査情報を前記表示パネルの前記右端部に表示するときは、該検査情報を表す文字列を右寄せにする、移動型放射線撮影装置。
【請求項４】
移動用の車輪を有する本体と、前記本体に支持部材を介して支持された放射線照射部と、前記本体に配設された表示パネルと、前記放射線照射部が前記表示パネルの一部を覆う状態にある固定位置と、前記固定位置よりも上方の位置である撮影位置との間で、前記支持部材に支持された放射線照射部を移動させる移動機構と、を備えた移動型放射線撮影装置において、
前記放射線照射部が前記固定位置に配置されているか否かを検出する検出部と、
前記放射線照射部に配設された第２の表示パネルと、
前記放射線照射部が前記固定位置に配置されていることが前記検出部に検出されたときは、前記第２の表示パネルに、放射線撮影を行う患者の所在を含む検査情報を表示し、前記放射線照射部が前記固定位置に配置されていないことが前記検出部に検出されたときは、前記表示パネルに、前記検査情報とは異なる情報を表示する検査情報表示制御部と、
を備えたことを特徴とする移動型放射線撮影装置。
【請求項５】
請求項１から請求項４のいずれかに記載の移動型放射線撮影装置において、
前記検査情報は、放射線撮影を行う患者の所在と、放射線撮影を行う患者の名前と、放射線撮影のプロ卜コルとを含む、移動型放射線撮影装置。
【国際調査報告】
2019180891.tif 000016
2019180891.tif 000017